(57)【特許請求の範囲】
【請求項１】
放射線又は放射線を変換した光に対して感度を有するセンサ部、前記センサ部による放射線画像の撮影を制御する制御部を含む電子回路、及び前記センサ部及び前記電子回路を収容し、外部から冷媒を内部に流入させるための第１の流通口と外部から前記第１の流通口を介して内部に流入された前記冷媒を流出させるための、開閉機構により開閉される第２の流通口とが設けられた筐体を有する可搬型放射線撮影装置と、
前記可搬型放射線撮影装置を収容する収容部、及び前記収容部に収容された前記可搬型放射線撮影装置の前記第１の流通口へ前記冷媒を流入させる流入機構を有する撮影台と、
を備え、
前記制御部は、前記第１の流通口と前記流入機構とが接続された場合、前記開閉機構により前記第２の流通口を開放する制御を行い、前記第１の流通口と前記流入機構とが未接続の場合、前記開閉機構により前記第２の流通口を閉鎖する制御を行う
放射線撮影システム。
【請求項２】
前記冷媒は、気体、液体、粉粒体の何れかである
請求項１記載の放射線撮影システム。
【請求項３】
前記流入機構は、前記冷媒に混入した異物を取り除くためのフィルタを有し、当該フィルタを通過させた冷媒を前記第１の流通口へ流入させる
請求項１又は請求項２記載の放射線撮影システム。
【請求項４】
放射線又は放射線を変換した光に対して感度を有するセンサ部と、
前記センサ部による放射線画像の撮影を制御する制御部を含む電子回路と、
前記センサ部及び前記電子回路を収容し、外部から冷媒を内部に流入させるための第１の流通口と外部から前記第１の流通口を介して内部に流入された前記冷媒を流出させるための、開閉機構により開閉される第２の流通口とが設けられた筐体と、
を有し、
前記制御部は、前記第１の流通口と、外部に設けられた、前記第１の流通口へ前記冷媒を流入させる流入機構と、が接続された場合、前記開閉機構により前記第２の流通口を開放する制御を行い、前記第１の流通口と前記流入機構とが未接続の場合、前記開閉機構により前記第２の流通口を閉鎖する制御を行う
可搬型放射線撮影装置。
【請求項５】
前記筐体は、防水性を有する構造とされている
請求項４記載の可搬型放射線撮影装置。
【発明の詳細な説明】
【技術分野】
【０００１】
本発明は、放射線撮影システム及び可搬型放射線撮影装置に関する。
【背景技術】
【０００２】
近年、ＴＦＴ(Thin Film Transistor)アクティブマトリクス基板上に放射線感応層を配置し、照射されたＸ線等の放射線を検出し、検出された放射線により表わされる放射線画像を示す電気信号を出力するＦＰＤ(Flat Panel Detector)等の放射線検出器が実用化されている。この放射線検出器は、従来のイメージングプレートに比べて、即時に画像を確認でき、動画も確認できるといったメリットがある。
【０００３】
この放射線検出器を内蔵し、放射線画像を撮影する可搬型放射線撮影装置（以下、電子カセッテともいう）も実用化されている。
【０００４】
ところで、電子カセッテは、その使用方法から、小型・軽量・薄型であることが望まれている。さらに、回診などでも使用され、埃の多いベッドでの使用を考慮し密閉であることが望まれている。
【０００５】
一方、電子カセッテは、放射線検出器により連続的に撮影を行うことにより動画撮影（透視撮影）が可能であるが、撮影により電子カセッテ内部の電子回路が発生するため、密閉した場合、放熱が問題となる。
【０００６】
この問題を解決する技術として、特許文献１〜３には、電子カセッテが撮影台にセットされた際に、電子カセッテの筐体に冷却機構を接触させて放熱を行う技術が開示されている。
【０００７】
また、特許文献４には、電子カセッテの筐体内に、筐体内部の温度上昇を抑制する冷却ユニットを取出し可能に内包させる技術が開示されている。
【先行技術文献】
【特許文献】
【０００８】
【特許文献１】特開２００７−２２２６０４号公報
【特許文献２】特開２００８−３６３９９号公報
【特許文献４】特開２００９−２８２３４号公報
【特許文献３】特開２００５−１８１９２２号公報
【発明の概要】
【発明が解決しようとする課題】
【０００９】
しかしながら、特許文献１〜３の技術を用いて電子カセッテの筐体に冷却機構を接触させて放熱を行ったとしても電子カセッテを十分に冷却できない場合がある。
【００１０】
特に、透視撮影では、放射線検出器により連続的に撮影を行われるため、電子カセッテ内部の温度が上昇しやすい。
【００１１】
一方、特許文献４の技術を用いて冷却ユニットを電子カセッテに取出し可能に内包させた場合、電子カセッテを十分に冷却することができるが、冷却ユニットを入れ替える手間がかかる。
【００１２】
本発明は、上記の事情に鑑み、簡易な構成で可搬型放射線撮影装置をより効率良く冷却することができる放射線撮影システム及び可搬型放射線撮影装置を提供することを目的とする。
【課題を解決するための手段】
【００１３】
上記目的を達成するために、請求項１記載の発明の放射線撮影システムは、放射線又は放射線を変換した光に対して感度を有するセンサ部、前記センサ部による放射線画像の撮影を制御する制御部を含む電子回路、及び前記センサ部及び前記電子回路を収容し、外部から冷媒を内部に流入させるための第１の流通口と外部から前記第１の流通口を介して内部に流入された前記冷媒を流出させるための、開閉機構により開閉される第２の流通口とが設けられた筐体を有する可搬型放射線撮影装置と、前記可搬型放射線撮影装置を収容する収容部、及び前記収容部に収容された前記可搬型放射線撮影装置の前記第１の流通口へ前記冷媒を流入させる流入機構を有する撮影台と、を備え、前記制御部が、前記第１の流通口と前記流入機構とが接続された場合、前記開閉機構により前記第２の流通口を開放する制御を行い、前記第１の流通口と前記流入機構とが未接続の場合、前記開閉機構により前記第２の流通口を閉鎖する制御を行うものである。
【００１４】
本発明の可搬型放射線撮影装置は、放射線又は放射線を変換した光に対して感度を有するセンサ部、センサ部による放射線画像の撮影を制御する制御部を含む電子回路を有しており、センサ部及び電子回路を収容する筐体に外部から冷媒を内部に流入させるための第１の流通口と外部から第１の流通口を介して内部に流入された冷媒を流出させるための、開閉機構により開閉される第２の流通口とが設けられている。
【００１５】
そして、本発明の撮影台は、流入機構により、収容部に収容された可搬型放射線撮影装置の第１の流通口へ冷媒を流入させる。
ここで、本発明の可搬型放射線撮影装置は、制御部により、第１の流通口と撮影台の流入機構とが接続された場合、開閉機構により第２の流通口を開放する制御を行い、第１の流通口と撮影台の流入機構とが未接続の場合、開閉機構により第２の流通口を閉鎖する制御を行う。
【００１６】
このように、本発明は、可搬型放射線撮影装置の筐体に外部から冷媒を内部に流入させるための第１の流通口及び第１の流通口を介して内部に流入された冷媒を流出させるための、開閉機構により開閉される第２の流通口を設け、撮影台の収容部に収容された際に、可搬型放射線撮影装置の第１の流通口へ冷媒を流入させ、流入された冷媒を第２の流出口から流出させるという簡易な構成で可搬型放射線撮影装置をより効率良く冷却することができる。
【００１７】
なお、本発明は、請求項２に記載の発明のように、前記冷媒を、気体、液体、粉粒体の何れとしてもよい。
【００１８】
また、本発明は、請求項３に記載の発明のように、前記流入機構が、前記冷媒に混入した異物を取り除くためのフィルタを有し、当該フィルタを通過させた冷媒を前記第１の流通口へ流入させることが好ましい。
【００１９】
一方、請求項４記載の発明の可搬型放射線撮影装置は、放射線又は放射線を変換した光に対して感度を有するセンサ部と、前記センサ部による放射線画像の撮影を制御する制御部を含む電子回路と、前記センサ部及び前記電子回路を収容し、外部から冷媒を内部に流入させるための第１の流通口と外部から前記第１の流通口を介して内部に流入された前記冷媒を流出させるための、開閉機構により開閉される第２の流通口とが設けられた筐体と、を有し、前記制御部が、前記第１の流通口と、外部に設けられた、前記第１の流通口へ前記冷媒を流入させる流入機構と、が接続された場合、前記開閉機構により前記第２の流通口を開放する制御を行い、前記第１の流通口と前記流入機構とが未接続の場合、前記開閉機構により前記第２の流通口を閉鎖する制御を行うものである。
【００２０】
よって、請求項４記載の発明は、請求項１記載の発明と同様に作用するので、請求項１記載の発明と同様に、簡易な構成で可搬型放射線撮影装置をより効率良く冷却することができる。
【００２１】
なお、請求項４記載の発明は、請求項５に記載の発明のように、前記筐体が、防水性を有する構造とされていてもよい。
【発明の効果】
【００２３】
本発明は、簡易な構成で可搬型放射線撮影装置をより効率良く冷却することができる、という優れた効果を有する。
【図面の簡単な説明】
【００２４】
【図１】実施の形態に係る放射線撮影システムの構成を示す斜視図である。
【図２】実施の形態に係る電子カセッテの内部構成を示す透過斜視図である。
【図３】実施の形態に係る通気口部分を拡大した拡大斜視図である。
【図４】実施の形態に係る収容部の構成を示す透過斜視図である。
【図５】実施の形態に係る電子カセッテ及び収容部の構成を示す断面図である。
【図６】実施の形態に係る電子カセッテの構成を示すブロック図である。
【図７】他の形態に係る電子カセッテ及び収容部の構成を示す断面図である。
【図８】他の形態に係る電子カセッテ及び収容部の構成を示す断面図である。
【発明を実施するための形態】
【００２５】
以下、図面を参照して本発明を実施するための形態について説明する。
【００２６】
図１には、本実施形態に係る放射線撮影システム１０が示されている。
【００２７】
放射線撮影システム１０は、可搬性を有し、画像情報を担持した放射線が照射される毎に前記画像情報を画像データとして生成して蓄積記憶可能な電子カセッテ１２と、電子カセッテ１２を収容する収容部１４が設けられ、臥位での放射線撮影を行う際に患者が横臥するための臥位撮影台１６と、を備えている。
【００２８】
電子カセッテ１２は、臥位撮影台１６の収容部１４に収容されることにより、放射線発生装置３４と間隔を空けて配置される。このときの放射線発生装置３４と電子カセッテ１２との間は、患者が位置するための撮影位置とされている。放射線発生装置３４は、放射線画像の撮影が指示されると、予め与えられた撮影条件等に応じた放射線量の放射線Ｘを照射する。放射線発生装置３４から射出された放射線Ｘは、撮影位置に位置している患者を透過することで画像情報を担持した後に電子カセッテ１２に照射される。
【００２９】
図２には、本実施の形態に係る電子カセッテ１２の内部構成が示されている。
【００３０】
同図に示すように、電子カセッテ１２は、放射線Ｘを透過させる材料からなる筐体５４を備えており、防水性、密閉性を有する構造とされている。電子カセッテ１２は、手術室等で使用されるとき、血液やその他の雑菌が付着するおそれがある。そこで、電子カセッテ１２を防水性、密閉性を有する構造として、必要に応じて殺菌洗浄することにより、１つの電子カセッテ１２を繰り返し続けて使用することができる。
【００３１】
筐体５４の内部には、放射線Ｘが照射される筐体５４の照射面５６側から、患者による放射線Ｘの散乱線を除去するグリッド５８、患者を透過した放射線Ｘを検出する放射線検出器６０、および放射線Ｘのバック散乱線を吸収する鉛板６２が順に配設されている。なお、筐体５４の照射面５６をグリッド５８として構成してもよい。
【００３２】
また、筐体５４の内部の一端側には、マイクロコンピュータを含む電子回路及び充電可能な二次電池を収容するケース３１が配置されている。放射線検出器６０及び電子回路は、ケース３１に配置された二次電池から供給される電力によって作動する。ケース３１内部に収容された各種回路が放射線Ｘの照射に伴って損傷することを回避するため、ケース３１の照射面５６側には鉛板等を配設しておくことが望ましい。なお、本実施の形態に係る電子カセッテ１２は、照射面５６の形状が長方形とされた直方体とされており、その長手方向一端部にケース３１が配置されている。
【００３３】
また、電子カセッテ１２は、筐体５４の１つの側面５７Ａに外部から冷媒として空気を内部に流通させるための流通口３８が設けられている。
【００３４】
また、各側面５７に空気を通気させるための通気口４０が設けられている。この各通気口４０には、図３に示すように、蓋部材４１及び蓋部材４１により各通気口４０を開閉させる開閉機構４２が設けられている。開閉機構４２は、蓋部材４１と接続された伸縮可能なロッド４２Ａを備えており、内蔵されたアクチュエータの動力によりロッド４２Ａを伸長させてロッド４２Ａで蓋部材４１を押圧することにより通気口４０を開放し、ロッド４２Ａを収縮させて蓋部材４１を通気口４０に密着させることにより通気口４０を閉鎖する。なお、筐体５４の内部は、各通気口４０が開放されたとしても、各通気口４０からの光が遮光される遮光構造としており、これにより、各通気口４０からの光が放射線検出器６０に入射することを防止している。
【００３５】
電子カセッテ１２は、図４に示すように、側面５７Ａを先頭として収容部１４に収容される。収容部１４には、電子カセッテ１２が収容部１４に収納された状態で流通口３８に対応する位置に空気を供給する供給口４４が設けられている。電子カセッテ１２の流通口３８には、逆止弁が設けられており、供給口４４と接続された際に空気が流通可能となる。また、流通口３８及び供給口４４には、流通口３８と供給口４４との接続の有無を検出するためメカニカルスイッチなどの接続検知センサ４６、４７（図５及び図６参照。）が設けられており、供給口４４との接続の有無を検出できるようにされている。
【００３６】
図５に示すように、供給口４４は、ダクト４８を介して送風器５０が接続されており、送風器５０から送られた空気が供給口４４から排出される。なお、本実施の形態では、ダクト４８にフィルタ４９を設けており、フィルタ４９により混入した異物を除去している。このようにフィルタ４９を設けることにより、電子カセッテ１２内部に埃等が蓄積して放熱効率が低下することを抑制でき、また、埃等によって内部の電気回路に不具合が発生することを抑制できる。
【００３７】
この送風器５０は、マイクロコンピュータによって構成され、送風器５０の動作を制御する送風器制御部５２と接続されている。
【００３８】
この送風器制御部５２には接続検知センサ４６が接続されている。送風器制御部５２は、接続検知センサ４６による検知結果に基づき、流通口３８への供給口４４の接続の有無を把握しており、流通口３８と供給口４４が接続された場合、送風器５０を制御して供給口４４からの空気の供給を開始する。
【００３９】
図６には、本実施の形態に係る電子カセッテ１２の電気系の要部構成を示すブロック図が示されている。
【００４０】
電子カセッテ１２には、放射線又は放射線を変換した光に対して感度を有するセンサ部として放射線検出器６０が内蔵されている。
【００４１】
放射線検出器６０は、ＴＦＴアクティブマトリクス基板６６上に、放射線Ｘを吸収し、電荷に変換する光電変換層が積層されて構成されている。光電変換層は例えばセレンを主成分（例えば含有率５０％以上）とする非晶質のａ−Ｓｅ（アモルファスセレン）からなり、放射線Ｘが照射されると、照射された放射線量に応じた電荷量の電荷（電子−正孔の対）を内部で発生することで、照射された放射線Ｘを電荷へ変換する。なお、放射線検出器６０は、アモルファスセレンのような放射線Ｘを直接的に電荷に変換する放射線-電荷変換材料の代わりに、蛍光体材料と光電変換素子（フォトダイオード）を用いて間接的に電荷に変換してもよい。蛍光体材料としては、ガドリニウム硫酸化物（ＧＯＳ）やヨウ化セシウム（ＣｓＩ）が良く知られている。この場合、蛍光材料によって放射線Ｘ−光変換を行い、光電変換素子のフォトダイオードによって光−電荷変換を行う。
【００４２】
また、ＴＦＴアクティブマトリクス基板６６上には、光電変換層で発生された電荷を蓄積する蓄積容量６８と、蓄積容量６８に蓄積された電荷を読み出すためのＴＦＴ７０を備えた画素部７４（図６では個々の画素部７４に対応する光電変換層を光電変換部７２として模式的に示している。）がマトリクス状に多数個配置されており、電子カセッテ１２への放射線Ｘの照射に伴って光電変換層で発生された電荷は、個々の画素部７４の蓄積容量６８に蓄積される。これにより、電子カセッテ１２に照射された放射線Ｘに担持されていた画像情報は電荷情報へ変換されて放射線検出器６０に保持される。
【００４３】
また、ＴＦＴアクティブマトリクス基板６６には、一定方向（行方向）に延設され、個々の画素部７４のＴＦＴ７０をオンオフさせるための複数本のゲート配線７６と、ゲート配線７６と直交する方向（列方向）に延設され、オンされたＴＦＴ７０を介して蓄積容量６８から蓄積電荷を読み出すための複数本のデータ配線７８が設けられている。個々のゲート配線７６はゲート線ドライバ８０に接続されており、個々のデータ配線７８は信号処理部８２に接続されている。個々の画素部７４の蓄積容量６８に電荷が蓄積されると、個々の画素部７４のＴＦＴ７０は、ゲート線ドライバ８０からゲート配線７６を介して供給される信号により行単位で順にオンされる。ＴＦＴ７０がオンされた画素部７４の蓄積容量６８に蓄積されている電荷は、アナログの電気信号としてデータ配線７８を伝送されて信号処理部８２に入力される。従って、個々の画素部７４の蓄積容量６８に蓄積されている電荷は行単位で順に読み出される。
【００４４】
図示は省略するが、信号処理部８２は、個々のデータ配線７８毎に設けられた増幅器及びサンプルホールド回路を備えており、個々のデータ配線７８を伝送された電荷信号は増幅器で増幅された後にサンプルホールド回路に保持される。また、サンプルホールド回路の出力側にはマルチプレクサ、Ａ／Ｄ（アナログ／デジタル）変換器が順に接続されており、個々のサンプルホールド回路に保持された電荷信号はマルチプレクサに順に（シリアルに）入力され、Ａ／Ｄ変換器によってデジタルの画像データへ変換される。
【００４５】
信号処理部８２には画像メモリ９０が接続されており、信号処理部８２のＡ／Ｄ変換器から出力された画像データは画像メモリ９０に順に記憶される。画像メモリ９０は所定枚分の画像データを記憶可能な記憶容量を有しており、放射線画像の撮影が行われる毎に、撮影によって得られた画像データが画像メモリ９０に順次記憶される。
【００４６】
画像メモリ９０は電子カセッテ１２全体の動作を制御するカセッテ制御部９２と接続されている。カセッテ制御部９２はマイクロコンピュータによって構成されており、ＣＰＵ（中央処理装置）、ＲＯＭおよびＲＡＭ、フラッシュメモリ等からなる不揮発性の記憶部
を備えている。
【００４７】
このカセッテ制御部９２には無線通信部９４が接続されている。無線通信部９４は、放射線画像の撮影を制御する不図示のコンソールと通信可能とされており、カセッテ制御部９２は、無線通信部９４を介してコンソールとの間で各種情報の伝送を制御する。カセッテ制御部９２は、コンソールから無線通信部９４を介して受信される後述する曝射条件を記憶し、曝射条件に基づいて電荷の読み出しを開始する。
【００４８】
また、このカセッテ制御部９２には、開閉機構４２及び接続検知センサ４７が接続されている。カセッテ制御部９２は、接続検知センサ４７による検知結果に基づき、流通口３８への供給口４４の接続の有無を把握できると共に、開閉機構４２を制御してロッド４２Ａを伸縮させることにより、各通気口４０を開閉させることができる。カセッテ制御部９２は、流通口３８と供給口４４が未接続の場合、開閉機構４２を制御してロッド４２Ａを収縮させて各通気口４０を閉鎖し、流通口３８と供給口４４が接続された場合、開閉機構４２を制御してロッド４２Ａを伸張させて各通気口４０を開放する。
【００４９】
また、電子カセッテ１２には電源部９６が設けられており、上述した各種回路や各素子(ゲート線ドライバ８０、信号処理部８２、画像メモリ９０、無線通信部９４やカセッテ制御部９２として機能するマイクロコンピュータ、開閉機構４２及び接続検知センサ４７)は、電源部９６から供給された電力によって作動する。電源部９６は、電子カセッテ１２の可搬性を損なわないように、バッテリ（充電可能な二次電池）を内蔵しており、充電されたバッテリから各種回路・素子へ電力を供給する。なお、図６では、電源部９６と各種回路や各素子を接続する配線を省略している。
【００５０】
次に、本実施の形態に係る放射線撮影システム１０の作用について説明する。
【００５１】
電子カセッテ１２は、臥位撮影台１６の収容部１４に未収容状態の場合、各通気口４０を閉鎖しており、内部が密閉状態に保たれている。
【００５２】
医師又は放射線技師は、臥位で患者の撮影を行う場合、臥位撮影台１６の収容部１４に電子カセッテ１２を収納する。電子カセッテ１２は、収容部１４に収容されると、流通口３８と供給口４４が接続する。
【００５３】
電子カセッテ１２は、臥位撮影台１６の収容部１４に収容されて流通口３８と供給口４４が接続されると、各通気口４０を開放して空気の流通を可能とし、臥位撮影台１６は、電子カセッテ１２の流通口３８と供給口４４が接続されると、供給口４４から流通口３８へ空気を供給する。
【００５４】
撮影を行う場合、放射線発生装置３４から放射線を撮影に同期したタイミングで照射される。放射線発生装置３４から放射された放射線は、被写体を透過した後に電子カセッテ１２に到達する。
【００５５】
これにより、放射線検出器６０の各画素部７４の蓄積容量６８には照射された放射線の線量に応じた電荷が蓄積される。
【００５６】
カセッテ制御部９２は、撮影に同期したタイミングでゲート線ドライバ８０及び信号処理部８２に対して画像の読み出し開始を指示する指示信号を出力する。ゲート線ドライバ８０は、画像の読み出し開始が指示されると、１ラインずつ順に各ゲート配線７６にＯＮ信号（＋１０〜２０Ｖ）を出力させ、各ゲート配線７６に接続された各ＴＦＴ７０を１ラインずつ順にＯＮさせる。これにより、各データ配線７８には１ラインずつ各画素部７４の蓄積容量６８に蓄積された電荷量に応じた電荷信号が流れ出し、増幅器で増幅された後にサンプルホールド回路に保持される。信号処理部８２は、データ配線７８に流れ出した電荷信号に基づいて各画素部７４に蓄積された電荷量を、画像を構成する各画素の画素値として検出する。これにより、電子カセッテ１２に照射された放射線により示される放射線画像を示す画像情報を得ることができる。撮影によって得られた画像データは画像メモリ９０に記憶される。
【００５７】
ところで、各画素部７４の蓄積容量６８に蓄積された電荷を読み出して放射線画像を示す画像情報を得る場合、ゲート線ドライバ８０や信号処理部８２、画像メモリ９０等において発熱する。特に、透視撮影では、連続的に撮影を行われるため、電子カセッテ１２内部の温度が上昇しやすい。
【００５８】
しかし、本実施の形態に係る放射線撮影システム１０では、電子カセッテ１２の内部に空気を流通させることによって電子カセッテ１２を冷却することができるため、発熱の影響による画質の低下を抑えることができる。
【００５９】
以上のように、本実施の形態によれば、電子カセッテ１２の筐体５４に外部から空気を内部に流通させるための流通口３８を設け、臥位撮影台１６の収容部１４に収容された際に、流通口３８へ空気を流入させることにより、簡易な構成で電子カセッテ１２をより効率良く冷却することができる。
【００６０】
なお、上記実施の形態では、臥位撮影台１６の収容部１４に電子カセッテ１２を冷却する冷却機構を設けた場合について説明したが、これに限定されるものではない。例えば、立位撮影台や乳房撮影用の撮影台などの他の撮影台が電子カセッテ１２を収容する収容部を有する場合、当該収容部に電子カセッテ１２を冷却する冷却機構を設けてもよい。
【００６１】
また、上記実施の形態では、冷媒として空気を電子カセッテ１２内部に流通させる場合について説明したが、これに限定されるものではなく、冷媒は、他の気体、液体（例えば、水）、粉粒体（例えば、サーモメモリ）としてもよい。例えば、冷媒として液体や粉粒体を電子カセッテ１２内部に流通させる場合、図７に示すように、電子カセッテ１２には、筐体５４の側面５７に液体、粉粒体の流入を行うための流通口３８Ａ、供給された液体、粉粒体の流出を行うための流通口３８Ｂを設けると共に、内部に液体、粉粒体を流路となるパイプ１００を複数回蛇行させながら配設し、また、臥位撮影台１６には、収容部１４に電子カセッテ１２が収容部１４に収納された状態で流通口３８Ａ、３８Ｂに対応する位置に供給口４４Ａ、４４Ｂを設け、液体や粉粒体を貯留するタンク１０２、タンク１０２に貯留された液体や粉粒体を冷却するためのラジエタ１０４、タンク１０２に貯留された液体や粉粒体を電子カセッテ１２内へ送り出すポンプ１０６、ポンプ１０６の駆動を制御するポンプ制御部１０８を設ける。そして、ポンプ制御部１０８は、収容部１４に電子カセッテ１２が収容されて接続検知センサ４６により流通口３８Ａと供給口４４Ａが接続されたことが検出された際に、臥位撮影台１６が供給口４４Ａから液体や粉粒体を供給して電子カセッテ１２のパイプ１００内に液体や粉粒体を循環させて冷却を行うものとしてもよい。なお、図７においても、ポンプ１０６と供給口４４Ａを結ぶダクト４８にフィルタ４９を設けており、フィルタ４９により混入した異物を除去している。
【００６２】
また、上記実施の形態では、電子カセッテ１２に開閉機構４２を設けて通気口４０を開閉させる場合について場合について説明したが、これに限定されるものではない。例えば、電子カセッテ１２は、各通気口４０に密着し、外部から押圧された際に開放されるように蓋部材４１を設け、図８に示すように、臥位撮影台１６の収容部１４に電子カセッテ１２が収容部１４に収納された状態で各通気口４０に対応する位置にソレノイドなど伸縮可能な押圧部材１２０を設けて、収容部１４に電子カセッテ１２が収容された際に押圧部材１２０による押圧により各通気口４０を開放するようにしてもよい。この場合においても、筐体５４の内部は、各通気口４０が開放されたとしても、各通気口４０からの光が遮光される遮光構造として、筐体５４の内部の遮光性を維持している。
【００６３】
その他、上記実施の形態で説明した電子カセッテ１２及び臥位撮影台１６の構成は一例であり、本発明の主旨を逸脱しない範囲内において適宜変更可能であることは言うまでもない。
【符号の説明】
【００６４】
１０    放射線撮影システム
１２    電子カセッテ（可搬型放射線撮影装置）
１４    収容部
１６    臥位撮影台
３８、３８Ａ、３８Ｂ  流通口
４４    供給口（流入機構）
４８    ダクト（流入機構）
４９    フィルタ（流入機構）
５０    送風器（流入機構）
５２    送風器制御部（流入機構）
５４    筐体
６０    放射線検出器（センサ部）
８０    ゲート線ドライバ（電子回路）
８２    信号処理部（電子回路）
９２    カセッテ制御部（電子回路）
【図１】
0005570869.tif 000002
【図２】
0005570869.tif 000003
【図３】
0005570869.tif 000004
【図４】
0005570869.tif 000005
【図５】
0005570869.tif 000006
【図６】
0005570869.tif 000007
【図７】
0005570869.tif 000008
【図８】
0005570869.tif 000009